(57)【要約】      （修正有）【課題】  容器に包装された食品、即ち食品容器を購入し、手提げポリ袋へ収納し、手に提げて持ち歩いた時、食品容器は移動して傾いたり、倒れたりするため、容器内の食品が片側に寄せられて団子状になったり、食品の汁が流れ出したりして、せっかくの料理を台無しにする不具合があった。これ等の問題点を解決する手提げポリ袋、或いは食品容器を提供する。【解決手段】  手提げポリ袋内、或いは食品容器の底部、又は周辺近傍に粘着部材を設け、手提げポリ袋と食品容器とを粘着固定して手提げポリ袋内の食品容器の移動を防止する。【選択図】図１
2006312482.tif 000002
【特許請求の範囲】
【請求項１】
手提げポリ袋内へ収納された食品容器が、手提げポリ袋内において、所望する所定の姿勢で保持されるよう、手提げポリ袋内と所望する所定の姿勢で収納された食品容器とが、接触する部位に粘着部材を設け、粘着固定させたことを特徴とする、手提げポリ袋内の食品容器移動防止装置。
【請求項２】
前記手提げポリ袋内、或いは食品容器に設けた粘着部材が、両面テープである事を特徴とする請求項１の手提げポリ袋内の食品容器移動防止装置。
【請求項３】
前記手提げポリ袋内、或いは食品容器に設けた粘着部材が粘着剤を塗布し、剥離紙を設けた事を特徴とする請求項１の手提げポリ袋内の食品容器移動防止装置。
【発明の詳細な説明】
【技術分野】
【０００１】  本発明は、スーパーあるいはデパート等で、容器に包装された食品（以下食品容器と言う）や日用品を購入した際、持ち帰りの入れ物として支給される半透明の薄膜プラスチック製の手提げ袋（通称ポリ袋、以下手提げポリ袋と言う）と食品容器とに係るものである。
【背景技術】
【０００２】  昨今、加工食品の大部分は容器に包装されて販売されている。又、該食品容器等を購入したとき支給される前記手提げポリ袋の構造は、図６に示す如く底部は閉じられ、両端が三角形状に中央部に向けて折り込まれ、即ち低部が長方形状になるように構成されている。従って、長方形状の食品容器は納まり易く形成されていると言えるが、手提げポリ袋を持ち歩いていると、容器内の食品個々の重量差や、あるいは、同時に購入し共に収納した他の食品や物品等の重量差の影響を受け、更に歩行時に前後左右及び上下の揺れ、又脚等に当たる事等々により手提げポリ袋内の食品容器は、収納した当初の所望した姿勢即ち、水平な姿勢の状態で保持することは極めて困難であった。【０００３】  前記の如く手提げポリ袋内の食品容器が移動して傾いたりすると、食品容器内に手際よく盛り付けられた料理が片側に寄せられて団子状になったり、場合によっては汁等が流れ出して、せっかくの料理も台無しにすることも少なくなかった。【０００４】  前述の如き不具合を免れるためには、購入食品類に応じて予め入れ物を用意しておかねばならない等の不便さがあった。従って、売り場にきてから思わず購入した食品容器は持ち帰り手段を思案しなければならない事等の欠点もあった。
【発明が解決しようとする課題】
【０００５】  以上述べたように、従来の手提げポリ袋に於いては、食品容器を該手提げポリ袋に収納して持ち歩いていると、収納時に格別の配慮をしない限り、極めて容易に手提げポリ袋で位置を変え傾いたりすることは避けられなかった。本発明が解決しようとする課題は、これらの問題点を解決することにある。尚、手提げポリ袋について、特開２００４−３５９４７に開示しているが、底部が大きな円筒状、角筒状物を限定対象にし、従来の手提げポリ袋内での収まりの不安定を対策した専用構造の手提げポリ袋であって、従来の手提げポリ袋の使用については考慮していない。
【特許文献１】    特開２００４−３５９４７号  公開特許公報
【課題を解決するための手段】
【０００６】  食品容器を購入した時、支給される手提げポリ袋内或いは食品容器の所定位置に設けられた粘着部材で食品容器を手提げポリ袋内に固着して、傾いたりする移動を防止することを目的とするものであって、次の構成手段から成立する。
【０００７】  上記の課題を解決するため、請求項１に記載された発明は、手提げポリ袋内の底部、又は周辺近傍、或いは食品容器の底部、又はその周辺に粘着部材を設けて手提げポリ袋と食品容器とを固着し移動を防止するものである。
【０００８】  請求項２に記載された発明は、請求項１に記載された粘着部材が両面テープでなることを特徴とする手提げポリ袋内の食品容器移動防止装置を提供する。
【０００９】  請求項３に記載された発明は、請求項１に記載された粘着部材が粘着剤を塗布し、剥離紙を設けてなる事を特徴とする手提げポリ袋内の食品容器移動防止装置を提供する。
【００１０】  本発明に係る手提げポリ袋内の食品容器移動防止装置は、上述の構成からなり、その作用は、手提げポリ袋内の底部、又は周辺近傍或いは食品容器の底部又は周辺に設けられた粘着部材、即ち手提げポリ袋か食品容器のいずれかに設けられた両面テープ、又は剥離紙を設けた粘着剤、これらの剥離紙を剥がして、手提げポリ袋と食品容器とを底面、又は底面周辺で粘着固定させ食品容器を手提げポリ袋内に所望する姿勢で保持することができる。
【発明の効果】
【００１１】  本発明に係る手提げポリ袋内の食品容器移動防止装置は、上述の構成、作用を有するため次の効果を奏する。
即ち、手提げポリ袋内に収納された食品容器は、手提げポリ袋内、或いは食品容器の底部、又は周辺に設けられた粘着部材で手提げポリ袋とが所望する姿勢で固着する事ができるため、食品容器が傾いたり、反転する等の移動が防止され、食品容器は購入当初の儘で持ち帰る事が出来る。
【００１２】  手提げポリ袋内に収納された食品容器は、該手提げポリ袋内に固着する事ができるため、乗り物、人混みの場所でも安心して持ち歩く事が出来る等の効果がある。
【発明を実施するための最良の形態】
【００１３】  本発明に係る手提げポリ袋の食品容器移動防止装置の実施の形態を図１〜図３に基づいて説明する。【００１４】  図１、図２及び図３において、Ａは、手提げポリ袋であり、Ｂは、手提げポリ袋に収納された食品容器である。Ｃは、粘着部材であり、即ち、両面テープ、又は粘着剤を塗布し剥離紙を設けたものである。粘着部材は、手提げポリ袋Ａの底面Ａ１に粘着、又は塗布されて設けられている。尚、該粘着部材の貼付個数及び大きさは特定せず、適宜手提げポリ袋、又は食品容器の大きさや重量等に応じて設定する事が出来る。【００１５】  次に図４について説明する。手提げポリ袋Ａに収納された食品容器Ｂの周辺部の手提げポリ袋Ａ内に設けられた粘着部材Ｃであり、即ち該粘着部材Ｃは両面テープ、又は粘着剤を塗布し剥離紙を設けたもので、食品容器Ｂを手提げポリ袋Ａ内に前記粘着部材Ｃで固着したものである。該粘着部材Ｃは、対向する反対側、或いは、食品容器Ｂの両側側面等にも必要に応じて設ける事が出来、又、手提げポリ袋Ａ及び食品容器Ｂの大きさや重量等、その他の状況に応じて固着箇所の必要性の有無を選定することも出来る。【００１６】  次に図５に付いて説明する。手提げポリ袋Ａに収納される食品容器Ｂの周辺の一部に、例えば、底面或いは外周側面部の一部に両面テープ、又は粘着剤を塗布し、剥離紙を設けた粘着部材Ｃ貼付したもので、該粘着部材Ｃで手提げポリ袋内へ収納時に所望する姿勢で固定したものである。尚、粘着部材Ｃの設定数や箇所は、前記と同様に食品容器の大きさや重量等、その他の状況に応じて設定する事が出来る。【００１７】  上記実施例で述べた如く、粘着部材（両面粘着テープ、又は剥離紙を設けた粘着剤の塗布）で手提げポリ袋と食品容器と固着させる手段は、前述の実施例に限定されるものではなく、粘着部材を使用して手提げポリ袋内の食品容器を所望の姿勢で保持できるように、即ち、移動や傾倒を防止できるよう、適宜収納する食品容器の状態に応じて固着固定位置及び粘着固定数を選択できる事を目的としているものである。
【図面の簡単な説明】
【００１８】
【図１】本発明に係る手提げポリ袋内へ食品容器を収納し、手提げポリ袋を拡げた時の平面図である。
【図２】同手提げポリ袋内へ食品容器を収納した図１の側面図である。
【図３】同手提げポリ袋内へ粘着部材を設けた平面図である。
【図４】同手提げポリ袋内に食品容器を収納しているもので手提げ部を割愛し、粘着部材で手提げポリ袋と食品容器の粘着固定状況を説明する説明図である。
【図５】同食品容器の斜視図であり、該食品容器の底面、又はその周辺に粘着剤を設けて粘着材で、手提げポリ袋内へ同着し移動を防止するための説明図である。
【図６】従来の手提げポリ袋で底面側よりの斜視図である。
【符号の説明】
【００１９】      Ａ  手提げポリ袋
Ａ１  手提げポリ袋の底面図
Ａ２  手提げポリ袋の閉じ口線
Ｂ  食品容器
Ｂ１  食品容器の底面図
Ｂ２  食品容器周辺
Ｃ  粘着部材
【図１】
2006312482.tif 000003
【図２】
2006312482.tif 000004
【図３】
2006312482.tif 000005
【図４】
2006312482.tif 000006
【図５】
2006312482.tif 000007
【図６】
2006312482.tif 000008